(57)【特許請求の範囲】
【請求項１】
側面に透明な材料から成る平坦部と透明な材料から成る湾曲部を備える上部開口を有する有底の筒状体であるグラス本体と、
映像表示装置をその映像表示面を前記平坦部の方向に向けた状態で前記平坦部に固定するための固定機構と、
映像の縦横比を変更して前記映像表示装置に出力する映像縦横比制御部とを備え、
前記湾曲部は前記平坦部の対向する位置に配置されており、
前記湾曲部は前記グラス本体の外側に向けて凸型に湾曲しており、
前記湾曲部は前記グラス本体に充填された飲料が接する側の面に前記湾曲部に沿って湾曲する湾曲面を備え、
前記平坦部は前記飲料が接する側の面に平らな平坦面を備え、
前記グラス本体の外側から前記映像表示面に映った映像を前記飲料及び前記湾曲部越しに見ると前記映像を拡大した虚像が見える曲率半径を前記湾曲面は有することを特徴とする飲料用演出グラス。
【請求項２】
前記湾曲面の鉛直方向の曲率半径と前記湾曲面の水平方向の曲率半径が違うことを特徴とする請求項1に記載の飲料用演出グラス。
【請求項３】
前記湾曲面が水平方向にのみ湾曲しており鉛直方向には湾曲していないことを特徴とする請求項1又は2に記載の飲料用演出グラス。
【請求項４】
前記固定機構は透明な材料から成ることを特徴とする請求項1〜3のいずれか一項に記載の飲料用演出グラス。
【請求項５】
前記固定機構は前記映像表示面と前記平坦部の間の距離を変更できるアジャスター機構を備えることを特徴とする請求項1〜4のいずれか一項に記載の飲料用演出グラス。
【請求項６】
前記平坦部と前記映像表示面の間に透明性と伸縮性を有し空気を通さない材料から成るシートを備え、
前記固定機構は前記シートを介して前記映像表示面と前記平坦部とを密着させることを特徴とする請求項1〜5のいずれか一項に記載の飲料用演出グラス。
【請求項７】
前記固定機構は透明性を有した材料から成るポケット機構であることを特徴とする請求項1〜6のいずれか一項に記載の飲料用演出グラス。
【請求項８】
前記ポケット機構の内部に挿入されるスペーサーを備え、
前記スペーサーは伸縮性と透明性を有した材料から成ることを特徴とする請求項7に記載の飲料用演出グラス。
【請求項９】
前記ポケット機構は柔軟性を有する材料から成ることを特徴とする請求項7〜8のいずれか一項に記載の飲料用演出グラス。
【請求項１０】
前記上部開口を塞ぐための蓋を備えることを特徴とする請求項1〜9のいずれか一項に記載の飲料用演出グラス。
【請求項１１】
前記平坦部の一部が平凹レンズであることを特徴とする請求項1〜10のいずれか一項に記載の飲料用演出グラス。
【請求項１２】
前記映像表示装置が携帯型通信装置の一部であり、
前記映像縦横比制御部が前記携帯型通信装置に内蔵されているソフトウェアであることを特徴とする請求項1〜11のいずれか一項に記載の飲料用演出グラス。
【請求項１３】
請求項12に記載の飲料用演出グラスと、
外部のサーバーコンピュータと、
ユーザー操作検知部とを備え、
前記ユーザー操作検知部は前記携帯型通信装置の加速度センサーの出力データに基づいてユーザーが前記グラス本体を移動、傾斜又は他物体へ衝突（以後、「ユーザー操作」という。）させたことを検知し、出力信号を前記外部のサーバーコンピュータに送信し、
前記外部のサーバーコンピュータは前記出力信号を受信し、その受信回数をカウントし
て乾杯操作累計数として記録し、ユーザーが前記乾杯操作累計数を閲覧出来ることを特徴
とする遠隔地乾杯カウンターシステム。
【請求項１４】
請求項1〜12のいずれか一項に記載の飲料用演出グラスで用いるコンピュータプログラムを保存した記憶媒体であり、
前記コンピュータプログラムが前記映像表示装置に出力する映像を縦方向及び／又は横方向に圧縮処理したスクィーズ映像を生成するものであることを特徴とする記憶媒体。

【発明の詳細な説明】
【技術分野】
【０００１】  本発明は、グラス内部の液体による画像の縦横比の変更機能及び映像表示拡大機能を備える飲料用演出グラスに関する。
【背景技術】
【０００２】  飲料を入れる機能以外に様々な機能を持ったグラスが開発されている。
例えば特許文献１及び２にはグラスの表面に表示装置を配置し、表示装置に映す映像を手動で切り替えたり、グラスの状態を検知するモーションセンサーの出力に応じて切り替えたりする技術が開示されている。
特許文献３〜５には本願発明者が発明した飲料用演出グラスが開示されている。この飲料用演出グラスは、グラス本体と、グラス本体の底部から内部側にのびており携帯型通信装置を格納するための格納部と、グラス本体の側面から内部側にのびており携帯型通信装置の電波を通過させるための導波部を備えている。この飲料用演出グラスはグラス本体内に飲料を充填した状態でも携帯型通信装置の電波を導波部を通して外部に出して無線通信できる。
特許文献６には本願発明者が発明した飲料用演出グラスが開示されている。この飲料用演出グラスは、グラス側面に固定された映像表示装置と、グラス本体内部に配置された反射鏡とを備えてりおり、映像表示装置の映像を疑似的にグラス内部に投影する演出が可能なグラスである。
【先行技術文献】
【特許文献】
【０００３】
【特許文献１】特開２００５−９９１５９号公報
【特許文献２】米国特許出願公開第２００８／０１００４６９号明細書
【特許文献３】特許第６３３７２５６号
【特許文献４】特許第６４０６７４２号
【特許文献５】特許第６４３２９６０号
【特許文献６】特許第６４８８０４９号
【発明の概要】
【発明が解決しようとする課題】
【０００４】  しかし、上記特許文献１〜４は小さな文字等を含む映像を扱う場合その映像を拡大しなければその文字の視認が難しく老眼や乱視のユーザーには使いづらいという問題を有する。
上記特許文献５〜６は映像拡大用のレンズを別途グラス側面に設ける構成となっており、仮に５インチ程度の映像表示装置をカバーする程度の大きさのレンズを用いたとしてもグラス本体の重量が最低でも数百［ｇ］程度は増加してしまい力の弱い女性や子供が扱うのは困難という問題を有する。
更に上記特許文献１〜６は全てグラスの大きさや形状に応じて映像の縦横比（アスペクト比）を変更出来ないという問題を有する。【０００５】  本発明は上記問題を鑑み、グラスの大きさに応じて映像の縦横比を変更しながらグラス側面に映像を映すことが可能な軽量な飲料用演出グラスとそのグラスを用いた遠隔地乾杯カウンターシステムおよび、そのグラスに使用するプログラムを収録した記憶媒体を提供することを課題とする。
【課題を解決するための手段】
【０００６】
本発明の飲料用演出グラスは、側面に透明な材料から成る平坦部と透明な材料から成る湾曲部を備える上部開口を有する有底の筒状体であるグラス本体と、映像表示装置をその映像表示面を前記平坦部の方向に向けた状態で前記平坦部に固定するための固定機構と、映像の縦横比を変更して前記映像表示装置に出力する映像縦横比制御部とを備え、前記湾曲部は前記平坦部の対向する位置に配置されており、前記湾曲部は前記グラス本体の外側に向けて凸型に湾曲しており、前記湾曲部は前記グラス本体に充填された飲料が接する側の面に前記湾曲部に沿って湾曲する湾曲面を備え、前記平坦部は前記飲料が接する側の面に平らな平坦面を備え、前記グラス本体の外側から前記映像表示面に映った映像を前記飲料及び前記湾曲部越しに見ると前記映像を拡大した虚像が見える曲率半径を前記湾曲面は有することを特徴とする。
また、前記湾曲面の鉛直方向の曲率半径と前記湾曲面の水平方向の曲率半径が違うことを特徴とする。
また、前記湾曲面が水平方向にのみ湾曲しており鉛直方向には湾曲していないことを特徴とする。
また、前記固定機構は透明な材料から成ることを特徴とする。
【０００７】  前記固定機構は前記映像表示面と前記平坦部の間の距離を変更できるアジャスター機構を備えることを特徴とする。
また、前記平坦部と前記映像表示面の間に透明性と伸縮性を有し空気を通さない材料から成るシートを備え、前記固定機構は前記シートを介して前記映像表示面と前記平坦部とを密着させることを特徴とする。
また、前記固定機構は透明性を有した材料から成るポケット機構であることを特徴とする。
また、前記ポケット機構の内部に挿入されるスペーサーを備え、前記スペーサーは伸縮性と透明性を有した材料から成ることを特徴とする。
また、前記ポケット機構は柔軟性を有する材料から成ることを特徴とする。
また、前記上部開口を塞ぐための蓋を備えることを特徴とする。
また、前記平坦部の一部が平凹レンズであることを特徴とする。
また、前記映像表示装置が携帯型通信装置の一部であり、前記映像縦横比制御部が前記携帯型通信装置に内蔵されているソフトウェアであることを特徴とする。
本発明の遠隔地乾杯カウンターシステムは、上記飲料用演出グラスと、外部のサーバーコンピュータと、ユーザー操作検知部とを備え、前記ユーザー操作検知部は前記携帯型通信装置の加速度センサーの出力データに基づいてユーザーが前記グラス本体を移動、傾斜又は他物体へ衝突（以後、「ユーザー操作」という。）させたことを検知し、出力信号を前記外部のサーバーコンピュータに送信し、前記外部のサーバーコンピュータは前記出力信号を受信し、その受信回数をカウントして乾杯操作累計数として記録し、ユーザーが前記乾杯操作累計数を閲覧出来ることを特徴とする。
本発明の記録媒体は、上記飲料用演出グラスで用いるコンピュータプログラムを保存した記憶媒体であり、前記コンピュータプログラムが前記映像表示装置に出力する映像を縦方向及び／又は横方向に圧縮処理したスクィーズ映像を生成するものであることを特徴とする。
【発明の効果】
【０００８】  グラス本体の側面を透明な材質から成る平坦部と湾曲部とを備える構成にする事によりグラス本体の内部の飲料（液体）の形状を一方の面が平らでそれに対向する他方の面が凸型の平凸レンズ（英：ｐｌａｎｏ−ｃｏｎｖｅｘ−ｌｅｎｓ）と同じ形状に出来るため、平坦部に固定した映像表示装置の映像表示面の映像を拡大してユーザーに表示する事が可能である。これは平坦部と湾曲部に沿った形状に変化したグラス本体の内部の飲料が光屈折媒体（水の屈折率は約１．３３３）となり平凸レンズとして機能するためである。
レンズとグラス本体の飲料が一体化しているためグラス本体の重量の軽量化が図れる。
湾曲部の飲料が接している側の面（以下、単に湾曲面という）の曲率半径の値を調整することによりユーザーから見た映像の拡大率及び焦点距離の調整が可能になる。
湾曲面の鉛直方向の曲率半径と水平方向の曲率半径を違う値にする事によりグラス内の飲料を透過した映像の縦横比（英：ａｓｐｅｃｔ  ｒａｔｉｏ）の比率を変更しながらその映像が拡大出来、これによりグラスの形状や大きさに応じてグラス側面の映像の縦横比の変更が出来る。
映像縦横比制御部を備えることによりグラス本体のデザインが湾曲面の鉛直方向の曲率半径と水平方向の曲率半径が違う値になっていても映像の縦横比を変更しないで拡大することができる。また状況に応じて映像の縦横比をソフトウェア側でコントロールできる。
映像縦横比制御部を携帯型通信装置のソフトウェアとしてインストールしておけばその携帯型通信装置の映像を縦横比を自由にコントロールしながら拡大することができる。
湾曲面の鉛直方向の曲率半径の値を無限大つまりグラス本体を鉛直方向に湾曲しない柱状の形状とすることに天井照明等の光源がグラス本体側面の湾曲部や湾曲面に映り込むのを防げるため快適な映像視聴が出来る。
平坦部と映像表示面の距離を可変にすればグラス内部の飲料越しに見える映像の拡大率とピントをユーザーにて調整出来る。
映像表示装置を平坦部に対して水平方向にスライドさせる事により映像の任意のエリアのみ限定して拡大する事が可能である。
飲料の色によりグラス側面の映像を着色する演出が可能である。
飲料の種類により光の屈折率は違うため、飲料毎に映像の拡大率を変化させる演出が可能である。
グラス本体を傾けた場合においてもグラス内の映像はグラスの傾きに応じて同期して傾くため乾杯時の演出等に使用出来る。
映像表示装置が加速度センサー付きの携帯型通信装置の場合はグラス本体同士を衝突させたり傾斜させたりした際の乾杯行為を検知し外部サーバーに送信すれば乾杯操作回数を遠隔地のサーバーで集計し、公開することができる。また遠隔地のサーバーで集計したリアルタイムの乾杯操作回数をグラス本体に拡大して投影出来る。【０００９】  グラス本体に映像表示装置を平坦部と映像表示装置の映像表示面を完全に密着させた状態で固定出来るため映像表示面と平坦部の間の空気を排除出来、それにより映像表示面が曇る（結露する）事を防止出来る。
映像表示面を平坦部に押し当てる方向に圧力（或はテンション）をバネ機構やゴムベルト機構等で加えるだけで映像表示面を平坦部に強固に固定出来、その際平坦部から受ける映像表示面に対する応力は面応力になり分散するため映像表示面が平坦部により破損する事を防止できる。【００１０】  平凸レンズに限らず通常凸レンズは（虫眼鏡のように）拡大したい物体とレンズの距離が大きければ大きい程物体は大きく拡大して見える。そのため平坦部のガラスの厚さをコントロールする事により映像の拡大率を増減させる事が出来る。
平坦部と映像表示面の間に透明性と柔軟性を有した空気を通さない材料から成るシートを挟む事により映像表示面の曇り（結露）を防止出来、更にそのシートの厚さを増減させる事により映像の拡大率を増減させる事が出来る。【００１１】  グラス本体に映像表示装置を固定するための固定機構としてポケット機構を用いる事によりグラスを傾斜させてもグラスから映像表示装置が外れる事は無く着脱も容易になる。また、ポケット機構に挿入されるスペーサーに伸縮性を有した素材を用いれば様々な厚みのサイズの映像表示装置や携帯電話をグラス側面に固定出来るだけなく、そのスペーサーの伸縮性による応力により映像表示面を平坦部に常時押し付けた状態にする事が可能になり映像表示装置の固定強度が増す。なお、ポケット機構とスペーサーを両方とも透明な材料にする事により映像表示装置の固定位置をユーザーが正確に視認出来るようにしても良く、これにより映像表示装置の固定位置の微調整やスライドが容易になる。【００１２】  ポケット機構等の映像表示装置をグラス本体に固定するための固定機構を全て透明な材料から成るようにする事により、映像表示装置をグラス内側とグラス外側のどちらの方向に向けた状態で固定しても映像の視認が可能になる。これにより本発明の飲料用演出グラスはグラス本体の飲料を透過させて映像を拡大して見る通常の利用形態と前述の飲料を透過させないで見る利用形態とをリバーシブルに切り替えられるようになる。
平坦部或は平坦面の一部を凹レンズ（マイナスレンズ）にすれば映像の一部エリアのみの拡大率を増減させる演出が可能である。
【図面の簡単な説明】
【００１３】
【図１】第１の実施の形態の飲料用演出グラスを示す斜視図（ａ）及び上方断面図（ｂ）
【図２】固定機構としてポケット機構を採用した例の断面図（ａ）及び（ｂ）
【図３】平凸レンズの焦点距離と拡大率の計算例を示した図
【図４】湾曲面の鉛直方向と水平方向の曲率半径による映像の拡大の縦横比の関係を示した図
【図５】映像縦横比制御部を備える飲料用演出グラス（ａ）及び映像縦横比制御部を備えない飲料用演出グラス（ｂ）
【図６】平坦部と映像表示面の距離を可変にした例の断面図
【図７】ボトル型の飲料用演出グラスを示す斜視図
【図８】第２の実施の形態の飲料用演出グラスを示す断面図（ａ）及び（ｂ）
【図９】第３の実施の形態の飲料用演出グラスを示す断面図（ａ）及び上方断面図（ｂ）
【図１０】第４の実施の形態の飲料用演出グラスを示す斜視図（ａ）及び上方断面図（ｂ）
【図１１】第５の実施の形態の飲料用演出グラスを示す斜視図
【図１２】画像の縦横方向圧縮処理プログラムのフローチャート図
【図１３】遠隔地乾杯カウンターシステムの構成を示す図
【発明を実施するための形態】
【００１４】［飲料用演出グラスの第１の実施の形態］
以下、本発明の飲料用演出グラスの第１の実施の形態を図面を用いて示す。
図１に示すように、飲料用演出グラス１はグラス本体１０、平坦部２０、平坦面２１、湾曲部３０、湾曲面３１、固定機構４０、映像縦横比制御部２００から概略構成される。
グラス本体１０は上部開口１１を有する有底の筒状体でありその内部に清涼飲料水やアルコール飲料等の飲料Ｌを充填出来る。グラス本体１０の材質としては、一般的なグラスと同様にガラス、樹脂、陶器、磁器等が挙げられる。
グラス本体１０はその側面に透明な材料から成る平らな平坦部２０を備え、平坦部２０はグラス本体１０内部に充填された飲料Ｌが接する側の面に平らな平坦面２１を備える。
平坦部２０は映像表示装置８０をグラス本体１０に安定して固定するため及び映像表示装置８０の映像８２の光を対向する湾曲部３０の方向に向かって透過させるために設けられている。平坦部２０は平らなため映像表示装置８０の映像表示面８１と密着させる事により映像表示面８１及び平坦部２０の間の空気を排除出来、それにより平坦部２０及び映像表示面８１の結露が防止出来る。
グラス本体１０はその側面に平坦部２０に対向する位置にグラス本体１０の外側に凸型に湾曲した透明な材料から成る湾曲部３０を備え、湾曲部３０はグラス本体１０内部に充填された飲料Ｌが接する側の面に湾曲部３０に沿って湾曲している湾曲面３１を備える。湾曲部３０は映像８２を拡大した拡大像である虚像８３をグラス本体１０の外部のユーザーＵが視認するために設けられている。
固定機構４０は映像表示装置８０を平坦部２０に固定するための部材である。固定機構４０は映像表示装置８０を映像表示面８１を平坦部３０の方向に向けた状態で平坦部２０に固定する。本実施の形態では固定機構４０として図１や図２に示すようなポケット機構４２を備えるが、本発明の飲料用演出グラスはこれに限定される事はなく固定機構４０としてゴムベルト機構やクランプ機構等を用いても良い。
映像縦横比制御部２００は平坦部２０と湾曲部３０を透過することにより拡大した映像８２（つまり虚像８３）の縦横比が等倍になるように映像表示装置８０の映像８２の縦横方向のいずれかを圧縮したスクィーズ映像２０１を生成及び出力するための映像圧縮機構である。なお、映像縦横比制御部２００は専用ＩＣや筐体又は外部のコンピューターやクラウドサーバーの形態で設けても良いし映像表示装置８０の筐体内に内蔵又はインストールされたプログラムやアプリケーションソフトウェアでも良い。映像縦横比制御部２００の詳細については後述する。
グラス本体１０の形状としては図１に示すような取っ手１２を備えたいわゆるジョッキ型以外に、図７に示すような上部開口１１を閉めるための蓋１５を有するボトル型であってもよい。
【００１５】  平坦部２０（厳密には平坦面２１）と湾曲部３０（厳密には湾曲面３１）によりグラス内部に充填された飲料Ｌの形状は一方の面が平らでそれに対向する他方の面が凸型の平凸レンズ（英：ｐｌａｎｏ−ｃｏｎｖｅｘ−ｌｅｎｓ）と同じ形状になることにより平坦部２０に固定した映像表示装置８０の映像８２を拡大した虚像８３をユーザーＵに表示する事が可能である。
これは水の屈折率は約１．３３３であり空気の屈折率に比して大きいため平坦面２１と湾曲面３１に沿って平凸レンズの形状に変化した飲料Ｌが光屈折媒体となり平凸レンズ５０として機能するためである。なお、湾曲面３１は湾曲しているためその曲率半径Ｒは有限な値を必ず持つ。
飲料Ｌの種類により光の屈折率は違うため（例えば純水の屈折率は約１．３３であるが、濃度２０％の砂糖水の屈折率は約１．３７である）本発明の飲料演出グラス１では飲料Ｌの種類ごとに映像の拡大率を変化させる演出が可能である。
図３は平凸レンズの焦点距離と拡大率の計算例を示した図である。
式１に示すように平凸レンズ５０の焦点距離ｆはレンズの光屈折媒体の屈折率をｎとし、平凸レンズ５０の凸部の曲率半径Ｒとした場合、Ｒをｎ−１で割った値に近似される事が知られている（詳細は光学の専門書かレンズの公式の専門書を参照されたい）。一方、虚像（映像の拡大像）が目から２５０［ｍｍ］離れた位置（これを明視距離ｄｉｓｔａｎｃｅ  ｏｆ  ｄｉｓｔｉｎｃｔ  ｖｉｓｉｏｎと言う）につくられる場合その虚像が実物の何倍になるかを示す拡大率Ｍは、レンズの焦点距離ｆとした場合、式２のように２５０をｆで割った値か式３のように２５０をｆで割った値に１を加えた値で近似されるのが知られており（詳細はレンズや光学の専門書を参照されたい）、そのため式１と式２或は式１と式３により湾曲面３１の曲率半径Ｒを減少させる事により映像８２の拡大率を増加させる事が出来る事がわかる。
図４は湾曲面の鉛直方向と水平方向の曲率半径による映像の拡大の縦横比の関係を示した図である。
湾曲面３１の曲率半径Ｒは図４のように水平方向の曲率半径ＲＨと鉛直方向の曲率半径ＲＶが存在するため、これら曲率半径ＲＨと曲率半径ＲＶを違う値にする事により拡大像である虚像８３と実際の映像８２の縦横比を変更出来る。例えば図４のように水平方向の曲率半径ＲＨの値を鉛直方向の曲率半径ＲＶより小さい値にすれば虚像８３は水平方向に引き伸ばされて見えるようになる。逆に曲率半径ＲＨの値を曲率半径ＲＶより大きい値にすれば虚像８３は垂直方向に引き伸ばされて見えるようになる。つまり曲率半径ＲＨと曲率半径ＲＶを別々の値に調整することによりグラス本体の大きさ、縦横比、形状、デザインに応じて虚像８３の縦横比と拡大率を調整する事が出来る。また、曲率半径ＲＨの値を曲率半径ＲＶと等しくする事で別の言い方をすれば湾曲面３１を球形にすることにより映像８２と虚像８３の縦横比を等しくする事が出来る。
【００１６】  図３の式１と式２或は式３から分るように映像８２を拡大した虚像８３をユーザーＵが見える必要条件は曲率半径Ｒが有限の値である事であり、曲率半径Ｒが有限な値であれば曲率半径Ｒがどんなに大きな値でも映像８２に比して虚像８３は僅かだけでも拡大する。しかし映像８２がどれだけ拡大したかを認識出来る能力は視力や眼球の径大きさ等の多くのパラメーターの影響を受けるため各個人で個体差が有る（詳細はレンズや光学の専門書を参照されたい）。そのためあまりに大きな曲率半径の値（例えば数メートルオーダー）を用いてグラス本体１０を作成した場合は拡大率が小さすぎるためユーザーによっては映像８２の拡大の効果が認識出来ない可能性が有るため注意が必要である。
本発明グラスを作成する際は現実的なグラスの半径と拡大率を考慮し曲率半径ＲＨや曲率半径ＲＶの値は数センチオーダーから数十センチオーダーの範囲で選定すると良いだろう。
なお、グラスを設計する際に拡大率を大きくするために不必要に曲率半径ＲＨ或は曲率半径ＲＶを小さな値にすると歪曲収差が顕著になり虚像８３の外縁部部分の歪みが激しくなる可能性があるためその点は注意が必要である。
また、曲率半径Ｒを小さくする以外に映像８２の拡大率を上げる別の方法としてはグラス本体１０と映像表示面８１の距離を大きくする事でも可能である（これは虫眼鏡と同じ原理でありレンズの公式からも求められる）。グラスのデザイン上等の理由で曲率半径Ｒを小さく出来ない場合はこの方法を併用しても良い。
【００１７】  前述したように本発明の飲料用演出グラス１は湾曲面３１の水平方向の曲率半径ＲＨと鉛直方向の曲率半径ＲＶを別々の値に調整することにより映像８２の拡大像である虚像８３の縦横比を変更或は調整行う性質上、水平方向の曲率半径ＲＨと鉛直方向の曲率半径ＲＶが違う値の形状又はデザインの飲料用演出グラス１においては虚像８３は縦方向か横方向に伸びた状態で映ってしまう。虚像８３と映像８２の縦横比（アスペクト比）を揃えたい場合は映像縦横比制御部２００にて予め縦方向か横方向に圧縮したスクィーズ映像２０１を生成してそれを映像表示装置８０の映像８２として出力すれば良い。
図５に映像縦横比制御部２００を備える場合と備えない場合の飲料用演出グラス１の虚像８３の縦横比の状態を示した図である。
なお、ここでは説明のために図５（ａ）と図５（ｂ）の飲料用演出グラス１の湾曲面３１の形状は水平方向の曲率半径ＲＨの方が鉛直方向の曲率半径ＲＶよりも小さい形状（つまり映像８２は縦方向よりも横方向に大きく拡大される）を仮定して説明する。
図５（ｂ）のように映像縦横比制御部２００を備えない場合は、映像表示装置に映っている映像８２は縦方向と横方向の両方向ともに圧縮されていない非スクィーズ映像２０２のため映像８２の拡大像である虚像８３は縦方向よりも横方向の方が大きく拡大して見える（つまり図５（ｂ）の湾曲面３１に映った文字Ａのように横方向に伸びたように見える）。
一方、図５（ａ）のように映像縦横比制御部２００を備える場合は、映像表示装置に映っている映像８２は予め湾曲面３１の水平方向の曲率半径ＲＨと鉛直方向の曲率半径ＲＶの曲率半径の差を考慮してそれを打ち消す程度に横方向に圧縮されたスクィーズ映像２０１のため、映像８２と虚像８３は同じ縦横比率でユーザーからは見える（つまり図５の文字Ａは図５（ｂ）の湾曲面３１に映った文字Ａのように横方向に拡大しない）。
このように映像縦横比制御部２００を用いれば飲料用演出グラス１（より厳密には湾曲面３１）の形状が水平方向の曲率半径ＲＨと鉛直方向の曲率半径ＲＶが違う形状の場合でも映像８２の縦横比を変更しない拡大像（虚像８３）をユーザーは視認出来る。
また、映像縦横比制御部２００で生成されるスクィーズ映像２０１は必ずしも虚像８３の縦横比が映像８２の縦横比が完全に一致する程度に横方向または縦方向に圧縮された映像である必要がなく、例えば映像８２が文字の場合はユーザーがその文字の形を最低限認識出来る程度に縦方向か横方向に圧縮したスクィーズ映像２０１を用いても構わない。映像縦横比制御部２００はグラスの形状や用途に応じて映像８２のコンテンツ内容に応じてユーザーの好みの縦横比で圧縮したスクィーズ映像２０１を生成或は出力するようにしても良い。
なお、映像を縦方向または横方向に圧縮するスクィーズ映像２０１の生成方法については画像編集ソフトに内蔵されている既知の画像又は映像の縦横方向圧縮アリゴリズムを用いれば良い。例えば水平方向の映像の拡大率が５倍の曲率半径を有する飲料用演出グラス１の場合スクィーズ映像２０１の横方向の圧縮比を５倍にすれば５つの画像を横一列に同時にならべて投影出来る。
【００１８】  図２や図６のように固定機構４０としてポケット機構４２を用いる事により乾杯や飲料行為時にグラス本体１０を傾斜させてもグラス本体１０から映像表示装置８０が外れる事は無く、映像表示装置８０を平坦部２０に水平にスライドしてグラスから着脱が可能である。
図２のようにポケット機構４２に挿入されるスペーサー４３に伸縮性を有した材料を用いれば様々な厚みのサイズの映像表示装置８０や携帯電話等をグラス側面に固定出来るだけなく、そのスペーサー４３の伸縮性による応力により映像表示面８１を平坦部２０に常時押し付けた状態にする事が可能になり映像表示装置８０の固定強度が増す。なお、ポケット機構４２とスペーサー４３を両方とも透明な材料で構成する事により映像表示装置８０の固定位置をユーザーＵがグラス本体をどの方向から見ても正確に視認出来るようにしても良く、これにより映像表示装置８０の固定位置の微調整やスライドが容易になる。なお、ポケット機構４２の材料としてはガラスやアクリル等の固体だけでなく、柔軟性を有した透明な塩化ビニール等の材料を用いても良くこれによりグラス本体１０の小型化と軽量化が図れる。
平凸レンズに限らず通常凸レンズは（虫眼鏡のように）拡大したい物体とレンズの距離が大きければ大きい程物体は大きく拡大して見える。そのため本発明グラスでは平坦部２０のガラスの厚さをコントロールする事により映像８２の拡大率を増減させる事が出来、また平坦部２０と映像表示面８１との間に透明性と柔軟性を有した空気を通さない材料から成るシート４４を挟み込む事によりそのシート４４の厚さを増減させる事により映像の拡大率を増減させても良い。この方法の利点としては映像表示面８１がシート４４により平坦部２０から保護出来る点及び（映像表示面８１と平坦面の間に空気が侵入しないため）映像表示面８１の結露が防止できる点が挙げられる。
図６のように映像表示面８１と平坦部２０の間の距離ｄを変更できるアジャスター機構４５を備える事によりユーザーＵ自信で映像の拡大率を調整出来るようにしても良い。なお、アジャスター機構４５としては既知のネジ機構により距離を調整する物等を用いれば良い。
【００１９】［飲料用演出グラスの第２の実施の形態］
以下、本発明の飲料用演出グラスの第２の実施の形態を図面を用いて示すが、上記第１の実施の形態の飲料用演出グラス１と同一の構成となる箇所については同一の符号を付してその説明を省略する。
本実施の形態の飲料用演出グラスは、図８に示すように固定機構４０として透明な材料から成る固定機構４１にする事により（例えばポケット機構４２を透明なガラス製にする等）、映像表示装置８０（より厳密には映像表示面８１）を図８（ａ）のようにグラス本体１０の内側に向けた状態と図８（ｂ）のようにグラス本体１０の外側に向けた状態のどちらの状態でも映像の視認が可能になる。これにより本実施の形態の飲料用演出グラスはグラス本体１０の飲料Ｌを透過させて映像８２を拡大して見る通常の利用形態と飲料Ｌを透過させないで見る利用形態とをリバーシブルに切り替えられるようになる。
【００２０】  ［飲料用演出グラスの第３の実施の形態］
以下、本発明の飲料用演出グラスの第３の実施の形態を図面を用いて示すが、上記第１の実施の形態の飲料用演出グラス１と同一の構成となる箇所については同一の符号を付してその説明を省略する。
本実施の形態の飲料用演出グラスは、図９に示すようにグラス本体を鉛直方向に湾曲しない柱状の形状、つまり湾曲面３１の鉛直方向の曲率半径ＲＶの値を無限大になっている。こうする事により天井照明１００等の光源がグラス本体１０の側面の湾曲部３０（厳密には湾曲面３１に接する飲料）に映り込むのを防げるため快適な映像視聴が出来る。
【００２１】  ［飲料用演出グラスの第４の実施の形態］
以下、本発明の飲料用演出グラスの第４の実施の形態を図面を用いて示すが、上記第１の実施の形態の飲料用演出グラス１と同一の構成となる箇所については同一の符号を付してその説明を省略する。
本実施の形態の飲料用演出グラスは、図１０に示すように平坦部２０を構成する部材（例えば透明ガラスや透明アクリル樹脂等）の厚さが一様でなく、平坦部２０の少なくとも一部のエリアが平凹レンズ６０（マイナスレンズ）又は平凹レンズの形状になっている（つまり平坦面２１の一部がグラス外側方向に凹んでいる形状）。こうすることにより映像８２の拡大率を一部分だけ減少させるエリア（図１０（ａ）と１０図（ｂ）拡大緩和エリア６１と記載）を湾曲部３０上に設ける事が可能になる。
平凹レンズ６０を用いれば虚像８３の一部分だけの拡大率がコントロールされた飲料用演出グラス１を得ることが出来る。
【００２２】  ［飲料用演出グラスの第５の実施の形態］
以下、本発明の飲料用演出グラスの第５の実施の形態を図面を用いて示すが、上記第１の実施の形態の飲料用演出グラス１と同一の構成となる箇所については同一の符号を付してその説明を省略する。
本実施の形態の飲料用演出グラスは、図１１に示すように映像縦横比制御部２００が映像表示装置８０或は映像表示装置８０を備える携帯型通信装置３００の内部に内蔵又はインストールされるコンピュータプログラム或はソフトウェア（アプリケーションソフトウェア）の形態で存在しても良い。なお本発明の飲料用演出グラス１に固定する映像表示装置８０は図１１に示すように携帯型通信装置３００の映像表示装置でも構わない。
図１２に映像を画像の縦方向又は横方向に圧縮処理してスクィーズ映像２０１を生成或は出力する際のコンピュータプログラムのフローチャートを示す。
ＳＴＥＰ１において縦方向にも横方向にも圧縮していない本来の映像８２を映像表示装置８０または携帯型通信装置３００のコンピューターのメモリからロードする。ＳＴＥＰ２において映像８２は画像の縦方向或は横方向の圧縮処理（圧縮処理のアルゴリズムはフォトレタッチソフトやＬＤ又はＤＶＤ再生装置等に内蔵される既知の物を用いれば良い）を行いスクィーズ映像２０１を作成する。そしてＳＴＥＰ３においてそのスクィーズ映像２０１を映像表示装置８０又は携帯型通信装置３００へ出力する。
なお、図１２に示したフローチャートのコンピュータプログラムはフラッシュメモリ、ＤＲＡＭ、磁気記憶媒体、光記憶媒体等の既知の記憶媒体に保存すると良い。また、携帯型通信装置３００内のメモリにアプリケーションソフトウェアの形態でインストール（保存）しても良い。
【００２３】  ［遠隔地乾杯カウンターシステムの実施の形態］
以下、本発明の遠隔地乾杯カウンターシステムの実施の形態について説明する。上記各実施の形態の飲料用演出グラスと同一の構成となる箇所については同一の符号を付してその説明を省略する。
携帯電話やスマートフォン等の移動体通信端末の殆どの機種は加速度センサーを内蔵している。加速度センサーは同センサーが内蔵されている物体の加速度に基づいて、物体の移動量、傾斜量、他物体への衝突の有無を取得出来る。そこで本実施の形態の遠隔地乾杯カウンターシステムでは図１３に示すように本発明の飲料用演出グラス１と携帯型通信装置３００内の加速度センサー３０１のセンサー取得データの値をモニターするユーザー操作検知部３０２とを備える。
携帯型通信装置３００の加速度センサー３０１からの信号を元にグラス本体１０に対するユーザー操作（例えばグラス本体１０の他の飲料用グラスへの衝突や傾斜操作等）をユーザー操作検知部３０２にて検知して遠隔地のサーバーコンピュータ４００等に送信する。図１３に示すように、遠隔地のサーバーコンピュータ４００が受信回数をカウントしてそれを乾杯操作累計数として記録して、閲覧や公開出来るようにする事により遠隔地乾杯カウンターシステムを得ることができる。なお、図１３に示すように加速度センサー３０１又はユーザー操作検知部３０２は飲料用演出グラス１と他の通常の飲料用グラス３との衝突だけでなくグラス本体１０の傾斜も乾杯動作として検知できるようにパラメーターを設定した物を用いても良い。また、ユーザー操作検知部３０２は必ずしも携帯型通信装置３００の筐体内に内蔵されている必要はなく外部のクラウドコンピューター等にソフトウェアとして実装されていても構わない。
【産業上の利用可能性】
【００２４】  本発明は、透明な平坦面と透明な湾曲面よりその側面が構成されるグラス本体の内部の飲料を光屈折媒体として用いた平凸レンズを用いてグラス側面の映像表示装置の映像を拡大する飲料用演出グラスに関する。レンズとグラス内の飲料と映像表示装置が一体化しているためクリアな映像をグラス飲料を透過して拡大出来、グラス本体の軽量化も可能である。透明な固定機構により映像表示装置のリバーシブル固定も可能である。また、映像縦横比制御部にて縦横のいずれかを圧縮したスクィーズ映像を投影する事によりグラス本体の鉛直方法と水平方向の曲率半径の比がどのような値でも映像の縦横比の等倍拡大が可能である。以上より本発明は産業上の利用可能性を有する。
【符号の説明】
【００２５】Ｌ  飲料（液体）
ｄ  距離（平坦部と映像表示面の間の距離）
Ｒ  曲率半径
ＲＶ  曲率半径（鉛直方向）
ＲＨ  曲率半径（水平方向）
Ｐ  焦点
ｎ  屈折率
ｆ  焦点距離
Ｍ  拡大率
Ｕ  ユーザー
ＵＨ  ユーザーの手
１  飲料用演出グラス
２  飲料用グラス
１０  グラス本体
１１  上部開口
１２  取っ手
１５  蓋
２０  平坦部
２１  平坦面
３０  湾曲部
３１  湾曲面
４０  固定機構
４１  固定機構（透明）
４２  ポケット機構
４３  スペーサー
４４  シート
４５  アジャスター機構
５０  平凸レンズ
６０  平凹レンズ
６１  拡大緩和エリア
８０  映像表示装置
８１  映像表示面
８２  映像
８３  虚像（映像の拡大像）
１００  天井照明
２００  映像縦横比制御部
２０１  スクィーズ映像
２０２  非スクィーズ映像（圧縮無し映像）
３００  携帯型通信装置
３０１  加速度センサー
３０２  ユーザー操作検知部
４００  サーバーコンピュータ
【要約】
【課題】  本発明は映像の縦横比を変更しながらグラス側面に映像を映す飲料用演出グラスと遠隔地乾杯カウンターシステムを提供することを課題とする。
【解決手段】  飲料用演出グラス１は、側面に透明な材料から成る平坦部２０と湾曲部３０を備える上部開口１１を有する有底の筒状体であるグラス本体１０と、映像表示装置８０をその映像表示面８１を平坦部２０の方向に向けた状態で平坦部２０に固定するための固定機構４０と映像縦横比制御部２００を備え、湾曲部３０はグラス本体１０に充填された飲料Ｌが接する側の面に湾曲部３０に沿って湾曲する湾曲面３１を備え、グラス本体１０の外側から映像表示面８１に映った映像８２を飲料Ｌ及び湾曲部３０越しに見ると映像８２を拡大した虚像８３が見える曲率半径Ｒを湾曲面３１は有し、湾曲面３１の鉛直方向の曲率半径ＲＶと水平方向の曲率半径ＲＨは異なることを特徴とする。
【選択図】図１【図１】
0006749668.tif 000002
【図２】
0006749668.tif 000003
【図３】
0006749668.tif 000004
【図４】
0006749668.tif 000005
【図５】
0006749668.tif 000006
【図６】
0006749668.tif 000007
【図７】
0006749668.tif 000008
【図８】
0006749668.tif 000009
【図９】
0006749668.tif 000010
【図１０】
0006749668.tif 000011
【図１１】
0006749668.tif 000012
【図１２】
0006749668.tif 000013
【図１３】
0006749668.tif 000014